(57)【特許請求の範囲】
【請求項１】
レーザー光を出力する光源部と、
前記レーザー光を反射させて走査するスキャナ部と、
前記レーザー光の明るさに関する指標を計測するセンサと、
前記光源部を制御して、
入力された画像データに基づく画像が描画されるように前記レーザー光を前記スキャナ部の走査範囲より狭い描画範囲に出力し、
前記レーザー光の明るさを調整するための調整用レーザー光を前記描画範囲外に出力し、
前記調整用レーザー光の出力開始後、前記調整用レーザー光の出力が安定するまでの期間が経過した時点で前記調整用レーザー光の出力を停止し、
前記調整用レーザー光の明るさに関する前記指標に基づいて前記レーザー光の明るさを調整する、画像処理部と、
を有し、
前記調整用レーザー光の出力が停止されるまでの前記期間は可変であり、
前記画像処理部は、前記調整用レーザー光の明るさに関する前記指標を所定回数取得し、前記所定回数連続して前記指標が所定範囲内に収まっている場合に、前記調整用レーザー光の出力を停止することを特徴とする
画像描画装置。
【請求項２】
前記画像処理部は、前記レーザー光の種類又は発光条件のうち少なくともいずれか１つに応じて前記調整用レーザー光の出力期間を可変とする、
請求項１記載の画像描画装置。
【請求項３】
レーザー光源部及びスキャナ部を制御して、画像データに基づく画像を描画範囲に描画するステップと、
前記レーザー光源部から出力されたレーザー光の明るさを調整するための調整用レーザー光を前記描画範囲外に出力するステップと、
前記調整用レーザー光の明るさに関する指標を計測するステップと、
前記調整用レーザー光の出力開始後、前記調整用レーザー光の出力が安定するまでの期間が経過した時点で前記調整用レーザー光の出力を停止させるステップと、
前記調整用レーザー光の明るさに関する前記指標に基づいて前記レーザー光の明るさを調整するステップと、を有し、
前記調整用レーザー光の出力が停止されるまでの前記期間は可変であり、
前記調整用レーザー光の明るさに関する前記指標を所定回数取得し、前記所定回数連続して前記指標が所定範囲内に収まっている場合に、前記調整用レーザー光の出力を停止することを特徴とする
画像描画方法。
【請求項４】
画像描画装置が備えるコンピュータに、請求項３記載の方法を実行させるためのプログラム。
【発明の詳細な説明】
【技術分野】
【０００１】
本発明は、画像描画装置、画像描画方法及びプログラムに関する。より具体的には、レーザー走査型の画像描画装置、画像描画方法及びプログラムに関する。
【背景技術】
【０００２】
光源から投射されたレーザー光を走査ミラーで反射させ、反射された光線で投射面をラスタ走査することにより、投射面に画像を表示させるレーザー走査型の画像描画装置が知られている。近年では、この走査ミラーとして例えばＭＥＭＳ（Micro Electro Mechanical Systems）ミラーを利用することで、レーザー走査型の画像描画装置は小型化され、ＨＵＤ（Head-Up Display）やＨＭＤ（Head Mounted Display）など様々な応用製品が開発されている。このような画像表示装置においては、温度変化や経年劣化等により発光強度が変化するというレーザーダイオードの特性に応じ、発光強度を安定させるためのＡＰＣ（Auto Power Control）制御が行われることがある。（一例として特許文献１を参照）。
【先行技術文献】
【特許文献】
【０００３】
【特許文献１】特開２０１３−１６４５０３号公報
【発明の概要】
【発明が解決しようとする課題】
【０００４】
画像表示装置のＡＰＣ制御は、例えば次のように行われる。ＲＧＢ各レーザーダイオードが、描画エリア外（ブランキングエリアなど）にレーザ光を出力する。ここで出力されたレーザ光はブランキングエリアにＡＰＣ輝線を生成する（図２）。ここでレーザーダイオードには、所望の発光強度（輝度）を得るために、必要な電流が印加される。しかしながら、レーザーは、温度変化や経年劣化等によって、印加電流と輝度との対応関係が変化することがある。すなわち、同じ電流を印加しても、条件により実際に得られる輝度が異なることがある。
【０００５】
そこで、センサが各輝線として照射されたレーザ光の実際の輝度を測定する。画像処理部が、レーザーダイオードが意図した輝度と、実際の輝度とを比較して、現在のレーザーダイオードの状態を判断する。そして画像処理部は、現在のレーザーダイオードの状態に応じて、描画エリア内に画像を投影する際のレーザーの出力を決定する。すなわち、所望の輝度を得るために必要な、レーザーダイオードへの印加電流を調整する。
【０００６】
しかしながら、かかるＡＰＣ制御においては、ブランキングエリアに対してＡＰＣ発光したレーザー光に基づく迷光が、描画エリア内の投影画像に影響を及ぼし得るという問題がある。
【０００７】
本発明は、かかる問題を解決するためになされたものであり、ＡＰＣ発光したレーザー光による描画画面への影響を抑制することができる画像描画装置、画像描画方法及びプログラムを提供することを目的とする。
【課題を解決するための手段】
【０００８】
そこで、本発明は、レーザー光を出力する光源部と、前記レーザー光を反射させて走査するスキャナ部と、前記光源部を制御して、入力された画像データを前記スキャナ部の走査範囲より狭い描画範囲に出力し、前記レーザー光の明るさを調整するための輝線を前記描画範囲外に出力し、前記輝線の出力開始後、前記輝線の出力が安定するまでの期間が経過した時点で前記輝線の出力を停止し、前記輝線の明るさに関する指標を入力し、前記指標に基づいて前記レーザー光の明るさを調整する、画像処理部と、前記輝線の明るさに関する前記指標を計測して前記画像処理部に出力するセンサと、を有し、前記輝線の出力が停止されるまでの前記期間は可変であることを特徴とする画像表示装置を提供する。
【０００９】
さらに、本発明は、レーザー光を制御して、画像データを描画範囲に描画するステップと、前記レーザー光の明るさを調整するための輝線を前記描画範囲外に出力するステップと、前記輝線の明るさに関する指標を計測するステップと、前記輝線の出力開始後、前記輝線の出力が安定するまでの期間が経過した時点で前記輝線の出力を停止するステップと、前記輝線の明るさに関する前記指標に基づいて前記レーザー光の明るさを調整するステップと、を有し、前記輝線の出力が停止されるまでの前記期間は可変であることを特徴とする画像表示方法を提供する。
【００１０】
さらに、本発明は、上記画像描画方法をコンピュータに実行させるプログラムを提供する。
【発明の効果】
【００１１】
ＡＰＣ発光したレーザー光による描画画面への影響を抑制することができる画像描画装置、画像描画方法及びプログラムを提供することができる。
【図面の簡単な説明】
【００１２】
【図１】本発明の実施の形態にかかる画像描画装置１００の構成を示す図である。
【図２】従来技術を示す図である。
【図３】本発明の実施の形態１の概要を示す図である。
【図４】本発明の実施の形態１の概要を示す図である。
【図５】本発明の実施の形態１にかかる画像描画装置１００の動作を示す図である。
【図６】本発明の実施の形態１の効果を示す図である。
【図７】本発明の実施の形態２の概要を示す図である。
【図８】本発明の実施の形態２にかかる画像描画装置１００の動作を示す図である。
【発明を実施するための形態】
【００１３】
以下に図面を参照しながら、本発明の好適な実施形態を説明する。かかる実施形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
＜実施の形態１＞
はじめに、図１を用いて、本発明の実施の形態１にかかる画像描画装置１００の構成について説明する。図１に示すように、画像描画装置１００は、光源部１１０、スキャナ部１２０、制御部１３０を有する。光源部１１０およびスキャナ部１２０により、入力された画像信号に基づく画像を投影面に描画させる表示部を構成する。
【００１５】
光源部１１０は、入力された画像信号に応じ、レーザー光源を駆動して、後段のスキャナ部１２０に対しレーザー光を出力する。光源部１１０は、画像処理部１１１、レーザー駆動部１１２、センサ１１５、Ｉ−Ｖアンプ１１６、ＡＤコンバータ１１７、ＤＤＲ−ＳＤＲＡＭ等の揮発性メモリ１１９及びフラッシュメモリ等の不揮発性メモリ１１８を含む。
【００１６】
画像処理部１１１は、典型的にはマイクロコンピュータであって、以下の一連の処理を実施する。
【００１７】
画像処理部１１１は、ビデオインターフェース等を介して原画像信号が入力される。画像処理部１１１は、画像種別に応じて原画像信号をデコード処理する。例えば、原画像信号がアナログ画像信号（コンポーネント映像信号）である場合には、デコード処理により、原画像信号を、３色（ＲＧＢ）のデジタル色信号で構成されるデジタル画像データと、水平同期信号と垂直同期信号とを含む同期信号と、に分離する。
【００１８】
画像処理部１１１は、デコード処理した画像データをバッファに一旦書き込んだ後、レーザー走査型の画像描画装置に適したタイミングで、バッファから画像データを主走査線の１ラインずつ読み出し、後段に出力する。すなわち画像処理部１１１は、後述するスキャナ部１２０の水平方向の揺動に基づいて調整されたタイミング信号（ドットクロック、描画期間指示信号）に合わせて画像データを読み出す。
【００１９】
光源部１１０は、レーザー光を発生させるためのレーザー駆動部１１２を有する。レーザー駆動部１１２は、ＲＧＢ３色を得るためのレーザー光源として、赤色レーザーダイオード１１４Ｒ、青色レーザーダイオード１１４Ｂ、緑色レーザーダイオード１１４Ｇを備えている。また、レーザードライバ１１３が、各レーザーダイオード１１４を駆動する。
【００２０】
レーザードライバ１１３は、画像処理部１１１が読み出す画像データを逐次入力し、Ｄ／Ａ変換を行い、読み出した画像データを構成する３色（ＲＧＢ）に対応するレーザー光をそれぞれ所望の輝度で発光させるための駆動電流を出力する。各々のレーザーダイオード１１４は、３色（ＲＧＢ）のレーザードライバが印加する駆動電流に応じた輝度で発光する。
【００２１】
画像データを構成する各画素データは、画素ごとにＲ（赤）、Ｇ（緑）、Ｂ（青）の３色で構成される色情報を有する。レーザードライバ１１３は、それぞれ各画素の各色の輝度情報に応じて各色のレーザーダイオード１１４に電流を印加する。なお、黒を描画する際にはレーザーを非発光とする。
【００２２】
レーザー駆動部１１２が出力するＲＧＢ３色のレーザー光は、図示しないダイクロイックミラーや集光レンズ等を介して、一軸に合波した光束として、後段のスキャナ部１２０に所定の角度で入射する。スキャナ部１２０は、垂直方向及び水平方向に揺動する垂直スキャナ１２３及び水平スキャナ１２４で入射光を反射し、投影面上を反射光で走査することにより、投影面上に画像を描画する。
【００２３】
また、画像処理部１１１はＡＰＣ制御を行う。レーザーダイオード１１４は、その特性上、印加電流に対して得られる発光強度が温度変化や経年劣化等により変化する。したがって、常に所望の発光強度を得るためには、実際の発光強度を計測し、所望の発光強度との差分をリアルタイムで補正する制御を行う必要がある。かかる制御をＡＰＣ制御という。従来のＡＰＣ制御の具体的手順を以下に示す。
【００２４】
画像処理部１１１は、レーザードライバ１１３により赤色レーザーダイオード１１４Ｒ、緑色レーザーダイオード１１４Ｇ及び青色レーザーダイオード１１４Ｂをそれぞれ駆動して、描画エリア外のブランキングエリアなどにレーザー光を出力させる。ＡＰＣ制御を行うために出力されるレーザー光を調整用レーザー光とする。図２に、描画エリア、ブランキングエリア及び調整用レーザー光による輝線の例を示す。描画エリアとは、後述のスキャナ部１２０の走査範囲より狭い範囲であって、表示画像がレーザー光の走査によって描画される領域をいう。ブランキングエリアとは、スキャナ部１２０の走査範囲内であるが、描画エリアに含まれない領域をいう。この例では、ブランキングエリアの左上を走査する期間に調整用レーザー光が出力されることにより、ブランキングエリアの左上に輝線が描画された例である。すなわち、描画範囲の上部における走査期間にレーザー光を出力することで、ＡＰＣ制御を行うための調整用レーザー光の出力を行っている。なお、調整用レーザー光を出力する位置は、描画範囲の下部等、ブランキングエリア内の任意の位置として良い。また、実際には、調整用レーザー光は画像描画装置１００の外部に出ないよう、画像描画装置１００内の構造物により遮断される。
【００２５】
センサ１１５は、調整用レーザー光の出力値を観測し、その発光強度に応じた計測信号（電流値）をＩ−Ｖアンプ１１６に出力する。センサ１１５は、フォトダイオードなどを用いる。Ｉ−Ｖアンプ１１６は、計測信号を電圧変換及び増幅し、ＡＤコンバータ１１７に出力する。ＡＤコンバータ１１７は、電圧変換及び増幅された計測信号をデジタル変換し、画像処理部１１１に出力する。画像処理部１１１は、デジタル変換された計測信号に基づいてレーザ光の発光強度を制御する。
【００２６】
画像処理部１１１は、計測された、すなわち実際の発光強度に応じて、描画エリア内に出力するレーザー光の発光強度を調整する制御を行う。すなわち、期待する発光強度が得られるよう、印加電流をリアルタイムに補正する。
【００２７】
次に、スキャナ部１２０の構成について説明する。スキャナ部１２０は、スキャナ制御部１２１、垂直スキャナ１２３、水平スキャナ１２４、及びスキャナドライバ１２２を有する。
【００２８】
光源部１１０が出力したレーザー光は、スキャナ部１２０の垂直スキャナ１２３及び水平スキャナ１２４に入射する。垂直スキャナ１２３及び水平スキャナ１２４は、入射したレーザー光を所定のタイミング及び角度で反射させ、投影面上を反射光で走査することにより、投影面上に画像を描画する。
【００２９】
垂直スキャナ１２３は、画像の上下方向（副走査方向）の走査を行うために揺動するミラーである。水平スキャナ１２４は、画像の水平方向（主走査方向）の走査を行うために揺動するミラーであり、各々はＭＥＭＳミラー等により構成される。垂直スキャナ１２３及び水平スキャナ１２４は、圧電素子等により駆動される。なお、垂直スキャナ１２３及び水平スキャナ１２４は必ずしも独立である必要はなく、例えば、直交する２つの揺動軸を有し、２方向にミラーを揺動させることにより画像光束をラスタスキャンする１個のミラーであってもよい。以下、説明の都合上、画像の水平方向（主走査方向）のスキャンに対応するミラーの揺動軸をＨ軸、画像の上下方向（副走査方向）のスキャンに対応するミラーの揺動軸をＶ軸として説明する。
【００３０】
スキャナドライバ１２２は、垂直スキャナ１２３及び水平スキャナ１２４を駆動する圧電素子に、所定のタイミングで電流を印加する。これにより、垂直スキャナ１２３及び水平スキャナ１２４は、上記タイミングに応じた周期で振動するよう駆動される。
【００３１】
スキャナ制御部１２１は、制御部１３０からのコマンドに基づいて、画像処理部１１１における出力対象の画像に適したスキャナの動作が行われるようにスキャナドライバを制御する。
【００３２】
Ｈ軸方向、すなわち主走査方向のミラーの揺動は、共振振動であることが一般的である。一方、Ｖ軸方向、すなわち副走査方向のミラーの揺動は、非共振駆動であることが一般的である。スキャナドライバ１２２は、Ｖ軸方向の振動周期を、画像信号のフレームレートに合わせて調整する。スキャナドライバ１２２は、スキャナ制御部１２１の制御に基づき圧電素子に印加する駆動波形を制御することにより、垂直スキャナ１２３及び水平スキャナ１２４の振れ角やスキャン周波数等を調整することができる。
【００３３】
なお、スキャナ部１２０は、垂直スキャナ１２３及び水平スキャナ１２４の振れ角等を検出するためのセンサ等を備え、検出信号を制御部１３０に出力することが好ましい。制御部１３０は、上記検出信号をモニタしながら、スキャナの振れ角、波形の生成、スキャン周波数などの制御を行う。
【００３４】
制御部１３０は、光源部１１０及びスキャナ部１２０の動作全体を制御する。具体的には、マイクロコンピュータ１３１及びＥＥＰＲＯＭ等の不揮発性メモリ１３２を含む。
【００３５】
ここで、図３を用いて、本発明の実施の形態１にかかる画像描画装置１００の特徴について説明する。
【００３６】
図３は、ＡＤコンバータ１１７がＩ−Ｖアンプ１１６から取り込む電圧値の時系列の変化を示す。電圧値は、入力開始から所定期間は一定せず変動を続けるが（立ち上がり期間）、電圧安定期間を経て、ほぼ一定値に収束する。そのため、ＡＤコンバータ１１７は、電圧安定期間が終了するタイミングで、電圧値の取り込みを行う。すなわち、入力した電圧値をデジタル変換して画像処理部１１１に出力する。
【００３７】
本来、レーザーの色、輝度等により、電圧変換された波形の立ち上がり時の挙動はさまざまである。しかしながら、従来の画像処理装置では、ＡＤコンバータ１１７による電圧値の取り込みのタイミング、すなわちレーザーの発光から電圧変換された波形の読み取りまでの期間は、固定であった。例えば、図４に示すように、比較的早期に電圧値が安定するＡＤコンバータ取り込み電圧Ｂについても、電圧値の安定するタイミングが比較的遅いＡＤコンバータ取り込み電圧Ａについても、同様のタイミングで読み取りを行っていた。したがって、調整用レーザー光の発光期間は常に一定であった。
【００３８】
一方、実施の形態１にかかる画像描画装置１００では、ＡＤコンバータ１１７による電圧値の取り込みのタイミング、すなわちレーザーの発光から電圧変換された波形の読み取りのまで期間を、レーザーの色、輝度等により変化させる。電圧値の取り込みのタイミングについては、各レーザーダイオード１１４毎に、輝度、温度等に応じたタイミングを予め設定しておくことができる。好ましくは、タイミングの設定値を、不揮発性メモリ１１９又は不揮発性メモリ１３２に格納しておくことができる。そして、マイクロコンピュータ１３１又は画像処理部１１１が、不揮発性メモリ１１９又は不揮発性メモリ１３２から設定値を読み出し、当該設定値に応じたタイミングでＡＤコンバータ１１７に電圧値の取り込みを指示する。これにより、調整用レーザー光の発光期間を最小限に抑制することが可能となる。
【００３９】
次に、図５のフローチャートを用いて、実施の形態１にかかる画像描画装置１００の動作について説明する。
【００４０】
Ｓ１０１：
画像処理部１１１に、画面輝度が設定される。画面輝度とは、レーザー駆動部１１２及びスキャナ部１２０を介して、実際に投影される画像の目標となる輝度をいう。すなわち、最終的にいかなる輝度で投影画像を描画すべきかを示すパラメータが、ここで画像処理部１１１に入力される。
【００４１】
画面輝度は、例えばマイクロコンピュータ１３１から入力されても良く、不揮発性メモリ１１９等に予め記憶されていても良く、又は画像処理部１１１に外部から直接設定されても良い。
【００４２】
Ｓ１０２：
画像処理部１１１は、Ｓ１０１で設定された画面輝度に応じた調整用レーザー光の輝度を設定する。すなわち、画像処理部１１１は、Ｓ１０１で設定された画面輝度と同輝度でＡＰＣ用の調整用レーザー光を出力すべく、当該輝度に対応する、レーザーダイオード１１４への印加電流を決定する。
【００４３】
なお、輝度と印加電流との対応関係は、例えば不揮発性メモリ１３２、不揮発性メモリ１１９又は揮発性メモリ１１８等にテーブル等の形で予め格納されているものとする。
【００４４】
Ｓ１０３：
画像処理部１１１は、ＡＰＣ制御における、発光から読取りまでの期間（タイミング）を設定する。上述のように、レーザーの色、輝度及び温度等により、電圧変換された波形の立ち上がり時の挙動はさまざまである。すなわち、レーザーダイオード１１４の種類や発光条件毎に、レーザーの発光から電圧変換された波形が安定するまでの期間は異なる。したがって、本実施の形態では、レーザーダイオード１１４の色、輝度及び温度等に応じて、電圧値が安定するまでの期間をそれぞれ予め定義しておく。
【００４５】
具体的には、赤色レーザーダイオード１１４Ｒ、緑色レーザーダイオード１１４Ｇ、及び青色レーザーダイオード１１４Ｂそれぞれについて、輝度及び温度等種々の発光条件の組み合わせに対応させて、発光から読取りまでの期間（タイミング）を定義しておく。この定義は、例えばテーブル等の形で、不揮発性メモリ１３２、不揮発性メモリ１１９又は揮発性メモリ１１８等に予め格納する。
【００４６】
そして、画像処理部１１１は、上述のテーブルを参照して、赤色レーザーダイオード１１４Ｒ、緑色レーザーダイオード１１４Ｇ、及び青色レーザーダイオード１１４Ｂそれぞれについて、Ｓ１０２で設定した輝度、及び現在の温度等の組み合わせに対応する、発光から読取りまでの期間（タイミング）を取得する。
【００４７】
Ｓ１０４：
画像処理部１１１は、調整用レーザー光の発光を開始させる。具体的には、画像処理部１１１は、Ｓ１０２で設定された調整用レーザー光の輝度および期間でレーザーダイオード１１４を発光させるよう、レーザードライバ１１３を制御する。レーザードライバ１１３は、Ｓ１０２で決定した駆動電流を用いて、赤色レーザーダイオード１１４Ｒ、緑色レーザーダイオード１１４Ｇ、及び青色レーザーダイオード１１４Ｂをそれぞれ駆動する。画像処理部１１１がＡＰＣ処理を実行する期間は、垂直スキャナ１２３及び水平スキャナ１２４がブランキングエリアを走査している間である。
【００４８】
Ｓ１０５：
画像処理部１１１は、Ｓ１０３で設定されたタイミングで、調整用レーザー光の輝度の測定及び測定値の読み取りを開始する。具体的には、画像処理部１１１は、不揮発性メモリ１３２、不揮発性メモリ１１９又は揮発性メモリ１１８等に予め格納された定義を参照し、赤色レーザーダイオード１１４Ｒ、緑色レーザーダイオード１１４Ｇ、及び青色レーザーダイオード１１４Ｂそれぞれについて、Ｓ１０２で設定された輝度、及び現在の温度等の発光条件の組み合わせに対応する、発光から読取りまでの期間（タイミング）を取得する。次に、画像処理部１１１は、センサ１１５を制御して、Ｓ１０４で出力された調整用レーザ光の輝度を測定させる。そして、Ｉ−Ｖアンプ１１６が、当該輝度の情報を電圧に変換し、ＡＤコンバータ１１７が、当該電圧を取り込んで画像処理部１１１に電圧値を出力する。
【００４９】
Ｓ１０６：
画像処理部１１１は、Ｓ１０５の読み取りが完了したならば、或いは読み取りのために予め設定された期間が経過したならば、調整用レーザー光の発光を停止させる。具体的には、調整用レーザー光の発光を停止するようレーザードライバ１１３を制御し、レーザードライバ１１３は、レーザーダイオード１１４の発光を停止させる。
【００５０】
Ｓ１０７：
画像処理部１１１は、入力された電圧値に対応する輝度、すなわち実際に測定された輝度と、Ｓ１０２で設定された輝度と、を比較する。画像処理部１１１は、設定された輝度と実際の輝度とに一定以上の差異があれば、Ｓ１０２で示した輝度と印加電流との対応関係を修正する。例えば、設定された輝度より実際の輝度が低ければ、所望の輝度を得るための印加電流をより大きく変更する。一方、設定された輝度より実際の輝度が高ければ、所望の輝度を得るための印加電流をより小さく変更する。これにより、設定された輝度と実際の輝度との差異が現在より小さくなるように調整される。
【００５１】
これらの処理の後、画像処理部１１１は、上記Ｓ１０１乃至Ｓ１０７にかかるステップを繰返し実施することができる。これにより、設定された輝度と実際の輝度との差異が補正される。また、レーザーダイオード１１４の発光条件、例えば温度等が時間とともに変化しても、その変化に追随してＡＰＣ制御を実施できる。
【００５２】
本実施の形態では、画像処理部１１１が、レーザーダイオード１１４の色や、温度等の発行条件に応じて、調整用レーザー光の発光開始から停止までの最適な期間（タイミング）を決定する。これにより、画像描画装置１００は、必要最小限の期間のみ調整用レーザー光の発光を行うことになる。したがって、図６に示すように、画像描画装置１００における調整用レーザー光の発光期間は可変となる。図６は、調整用レーザー光の発光期間の変化をＡＰＣ輝線として示した図であり、調整用レーザー光の発光期間が変化することにより、調整用レーザー光の発光期間に対応するＡＰＣ輝線の長さや本数は可変となる。すなわち、ＡＰＣ処理時の諸条件に応じた最短の調整用レーザー光の発光期間に対応するＡＰＣ輝線が描画される。そのため、描画画面に対する調整用レーザー光の発光による迷光の影響が最小限に抑制される。
【００５３】
＜実施の形態２＞
実施の形態１では、調整用レーザー光の発光開始から停止までの期間（タイミング）を予め定義しておく手法を提案した。実施の形態２では、当該タイミングを予め定めることなく、計算により決定する手法を提案する。
【００５４】
実施の形態２にかかる画像描画装置１００の構成は、実施の形態１と同様であるため説明を省略する。
【００５５】
図８のフローチャートを用いて、実施の形態２にかかる画像描画装置１００の動作について説明する。なお、ここでは主に実施の形態２特有の動作について説明するものとし、実施の形態１と同様の動作については詳細な説明を省略する。
【００５６】
Ｓ１０１：
画像処理部１１１に、画面輝度が設定される。
【００５７】
Ｓ１０２：
画像処理部１１１は、Ｓ１０１で設定された画面輝度に応じた調整用レーザー光の輝度を設定する。
【００５８】
Ｓ１０４：
画像処理部１１１は、調整用レーザー光の発光を開始させる。レーザードライバ１１３は、Ｓ１０２で決定した調整用レーザー光の輝度に対応する駆動電流で、赤色レーザーダイオード１１４Ｒ、緑色レーザーダイオード１１４Ｇ、及び青色レーザーダイオード１１４Ｂをそれぞれ駆動する。これにより、ＡＰＣ処理が開始される。
【００５９】
Ｓ２０５１：
画像処理部１１１は、調整用レーザー光の輝度の測定及び測定値の読み取りを開始する。その後、一定期間おきに、上記測定及び測定値の読み取りを繰返す。ここで、開始のタイミングは、電圧値が安定するより早い段階であることが好ましい（図７）。
【００６０】
Ｓ２０５２：
画像処理部１１１は、ＡＤコンバータ１１７から入力される電圧値が、所定回数連続して、所定の範囲内に収まっている（すなわちほぼ同じ値である）か否かを判定する。例えば、図７の例では、３回連続でほぼ同じ電圧値が検出された時に、判定結果はＹＥＳとなる。それ以外の場合、判定結果はＮＯとなる。判定結果がＹＥＳである場合、Ｓ１０６に遷移する。
【００６１】
Ｓ１０６：
画像処理部１１１は、調整用レーザー光の発光を停止する。
【００６２】
Ｓ１０７：
画像処理部１１１は、実際に測定された輝度と、Ｓ１０２で設定された輝度と、を比較して、一定以上の差異があれば、Ｓ１０２で示した輝度と印加電流との対応関係を修正する。
【００６３】
これらの処理の後、画像処理部１１１は、上記一連のステップを繰返し実施することができる。
【００６４】
本実施の形態によれば、画像処理部１１１は、調整用レーザー光の発光開始後、一定時間毎に調整用レーザー光の輝度を測定、読み込みし、読み込み値がｎ回にわたり一定範囲内であったなら、調整用レーザー光の発光を終了する。これにより、調整用レーザー光の発光開始から読み取りまでの期間（タイミング）を予め記憶することなく、レーザーダイオード１１４の状態に応じ、調整用レーザー光の発光の期間を最短とすることができる。
【００６５】
なお、本発明は上記実施の形態に限られたものではなく、趣旨を逸脱しない範囲で適宜変更することが可能である。例えば、上述の実施の形態では、本発明を主にＭＥＭＳデバイスに適用した実施例を示したが、本発明はこれに限られるものではない。
【００６６】
また、上述の実施の形態では、センサ１１５は輝度を測定するものとして説明したが、本発明はこれに限定されるものではなく、センサ１１５は例えば光束、光量、光度、照度等、レーザー光の明るさを示す他の指標を測定するものであっても良い。この場合、Ｉ−Ｖアンプ１１６及びＡＤコンバータ１１７は、これらのいずれかの指標を電圧値に変換する。
【００６７】
また、上述の実施の形態では、本発明を主にハードウェアの構成として説明したが、これに限定されるものではなく、任意の処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。この場合、コンピュータプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６８】
１００  画像描画装置
１１０  光源部
１１１  画像処理部
１１２  レーザー駆動部
１１３  レーザードライバ
１１４  レーザーダイオード
１１４Ｒ  赤色レーザーダイオード
１１４Ｂ  青色レーザーダイオード
１１４Ｇ  緑色レーザーダイオード
１１５  センサ
１１６  Ｉ−Ｖアンプ
１１７  ＡＤコンバータ
１１８  揮発性メモリ
１１９  不揮発性メモリ
１２０  スキャナ部
１２１  スキャナ制御部
１２２  スキャナドライバ
１２３  垂直スキャナ
１２４  水平スキャナ
１３０  制御部
１３１  マイクロコンピュータ
１３２  不揮発性メモリ
【図１】
0006332061.tif 000002
【図２】
0006332061.tif 000003
【図３】
0006332061.tif 000004
【図４】
0006332061.tif 000005
【図５】
0006332061.tif 000006
【図６】
0006332061.tif 000007
【図７】
0006332061.tif 000008
【図８】
0006332061.tif 000009